(57)【要約】【課題】落下しても充填パウチの破袋やしわより跡の発生を防止でき、しかも収納効率が高いスパウト付き充填パウチの梱包構造を提供する。【解決手段】内容物が充填されたパウチ本体１１の一端にスパウト１２が設けられた多数の充填パウチ１０をカートン２０内に収納するスパウト付き充填パウチの梱包構造において、梱包する充填パウチ１０を３つ以上の所定数づつまとめて複数のパウチ組１０Ｐを構成し、パウチ組１０Ｐを箱内に上下に段積み構成とするもので、前記パウチ組１０Ｐは、各充填パウチ１０を水平に置いて多角形状に無端状に配列し、各充填パウチ１０のスパウト側端部を配列方向同じ側に向けると共にスパウト１２を隣接する充填パウチ１０の上に重なるように組み付けた構成となっていることを特徴とする。また、パウチ組１０Ｐの間に各パウチ組１０Ｐの収納空間を仕切る仕切部材３０が設けられていることを特徴とする。【選択図】      図１
2004224400.tif 000002
【特許請求の範囲】
【請求項１】
内容物が充填されたパウチ本体の一端にスパウトが設けられた多数の充填パウチを箱内に収納するスパウト付き充填パウチの梱包構造において、
梱包する充填パウチを３つ以上の所定数づつまとめて複数のパウチ組を構成し、該パウチ組を箱内に上下に段積み構成とするもので、
前記パウチ組は、各充填パウチを水平に置いて多角形状に無端状に配列し、各充填パウチのスパウト側端部を配列方向同じ側に向けると共にスパウトを隣接する充填パウチの上に重なるように組み付けた構成となっていることを特徴とするスパウト付き充填パウチの梱包構造。
【請求項２】
パウチ組は、各充填パウチを一辺とする多角形状に配列されている請求項１に記載のスパウト付き充填パウチの梱包構造。
【請求項３】
パウチ組の間に各パウチ組の収納空間を仕切る仕切部材が設けられている請求項１または２に記載のスパウト付き充填パウチの梱包構造。
【請求項４】
仕切部材は、パウチ組が載置される仕切板と、仕切板によって仕切られる収納空間の間隔を保持する間隔保持部材とを備えている請求項３に記載のスパウト付き充填パウチの梱包構造。
【請求項５】
パウチ組は４つの充填パウチによって四角形状に構成されている請求項２乃至４のいずれかの項に記載のスパウト付き充填パウチの梱包構造。
【請求項６】
スパウトはパウチ本体の一端の左右に片寄った位置にあり、パウチ組として組み付けた際に充填パウチのスパウトが内側に位置している請求項１乃至５のいずれかの項に記載のスパウト付き充填パウチの梱包構造。
【請求項７】
箱の一辺の長さはパウチの長寸より所定寸法だけ大きい請求項２乃至６のいずれかの項に記載のスパウト付き充填パウチの梱包構造。
【請求項８】
内容物は液体である請求項１乃至７のいずれかの項に記載のスパウト付き充填パウチの梱包構造。
【発明の詳細な説明】
【０００１】
【発明の属する技術分野】
本発明は、パウチ本体の一端にスパウトが設けられたスパウト付きパウチを箱内に詰める梱包構造に関し、特に内容物が充填されたスパウト付き充填パウチの梱包構造に関する。
【０００２】
【従来の技術】
従来のこの種のスパウト付き充填パウチのカートンへの収納は、たとえば、図３に示すように、カートン１００内に仕切１０１を設けて充填パウチ１０２を縦または横置きに垂直に立てて数袋づつ収納していた。
【０００３】
充填パウチ１０２に取り付けられるスパウト１０３は、立てられた充填パウチ１０２の上部に位置し、かつ隣り合う充填パウチ１０２のスパウト１０３が干渉しないように左右互い違いに配置していた。
【０００４】
【発明が解決しようとする課題】
ところが、従来の梱包構造では、仕切１０１を設けてはいるものの、充填パウチ１０２を垂直に立てて収納いるので安定性が悪く、カートン１００が落下すると充填パウチ１０２同士が大きく動いて干渉し、パウチ側縁のシール部に大きな液圧が加わり、シール部ないしシール部近傍から破袋するという問題があった。特に、易開封機能を付与したような材料構成では、材料的に脆かったり弱め線等の易開封部が破れ易く、極端に破袋が多くなる。
また、破袋しないまでも、液圧によって局部的に折れてしわよりが発生し、外観品質の低下を招く。
【０００５】
さらに、このようなスパウト付きの充填パウチでは、スパウト１０３が嵩張るために、収納効率が悪く、カートンサイズが大きくなる。たとえば、図３の例では、仕切られた収納空間に３つの充填パウチ１０２が収納されているが、少なくとも２つのスパウト１０３と、スパウト１０３に挟まれる充填パウチ１０２の厚み分のスペースが必要となり、パレット積みの積載効率も悪くなってしまうという問題もあった。
その他の従来技術としては、たとえば、特許文献１に記載のような構造が知られている。
【特許文献１】特開２００２−２８４２３４
【０００６】
本発明は上記した従来技術の課題を解決するためになされたもので、その目的とするところは、落下しても充填パウチの破袋やしわよりの発生を防止でき、しかも収納効率が高いスパウト付き充填パウチの梱包構造を提供することにある。
【０００７】
【課題を解決するための手段】
上記目的を達成するために、本発明にあっては、内容物が充填されたパウチ本体の一端にスパウトが設けられた多数の充填パウチを箱内に収納するスパウト付き充填パウチの梱包構造において、
梱包する充填パウチを３つ以上の所定数づつまとめて複数のパウチ組を構成し、該パウチ組を箱内に上下に段積み構成とするもので、
前記パウチ組は、各充填パウチを水平に置いて多角形状に無端状に配列し、各充填パウチのスパウト側端部を配列方向同じ側に向けると共にスパウトを隣接する充填パウチの上に重なるように組み付けた構成となっていることを特徴とする。
【０００８】
また、パウチ組は、各充填パウチを一辺とする多角形状に配列されていることを特徴とする。
さらに、パウチ組の間に各パウチ組の収納空間を仕切る仕切部材が設けられていることを特徴とする。
仕切部材は、パウチ組が載置される仕切板と、仕切板によって仕切られる収納空間の間隔を保持する間隔保持部材とを備えていることを特徴とする。
パウチ組は４つの充填パウチによって四角形状に構成されていることが好ましい。
【０００９】
スパウトはパウチ本体の一端の左右に片寄った位置にあり、パウチ組として組み付けた際に充填パウチのスパウトが内側に位置していることが好適である。
箱の一辺の長さはパウチの長寸より所定寸法だけ大きいことが望ましい。
また、本発明は内容物は液体の場合に効果的である。
【００１０】
【発明の実施の形態】
以下に本発明を図示の実施の形態に基づいて説明する。
図１は、本発明の実施の形態に係るスパウト付き充填パウチの梱包構造を模式的に示している。
すなわち、内容物が充填されたパウチ本体１１の一端にスパウト１２が設けられた充填パウチ１０を箱としてのカートン２０内に収納するもので、梱包する充填パウチ１０を３つ以上の所定数、この実施の形態では４つずつまとめて複数のパウチ組１０Ｐを構成し、パウチ組１０Ｐをカートン２０内に上下に段積み構成としている。
【００１１】
パウチ組１０Ｐは、各充填パウチ１０を四角形の１辺を構成するように水平に無端状に配列し、各充填パウチ１０のスパウト側端部を配列方向同じ側に向けると共にスパウト１２を隣接する充填パウチ１０の上に重なるように組み付けた構成となっている。
【００１２】
充填パウチ１０は、長方形状のフィルムを２枚重ね合わせ、その周縁を所定幅で熱溶着して製袋したパウチ本体１１に内容物を充填した袋体で、スパウト１２は長手方向一端縁の左右一方側に偏った位置、この実施の形態では一方のコーナー部１３に取り付けられている。このスパウト２０は型成形品で、コーナー部１３にヒートシールにより接着されている。
【００１３】
充填パウチ１０としては、たとえば、管を通して人体の消化管に液体状の栄養剤を直接投与する経腸栄養剤用のパウチ、その他種々の内容物を充填したパウチに適用可能である。経腸栄養剤用パウチの場合には、反スパウト側端部を不図示の点滴台等に吊り下げ、スパウト１２に不図示のアダプタキャップを介して管を装着して用いるもので、パウチ本体１１の反スパウト側の端部にはフィルムを破断するための弱め線等の不図示の易開封部が設けられ、易開封部から水などの補給が可能となっている。内容物としては、経腸栄養剤のように液状のものに限らず、流動状態のもの、粉体、粒状物等種々の物が含まれる。
【００１４】
スパウト１２は、パウチ組１０Ｐとして組み付けた際に充填パウチ１０のスパウト１２がパウチ組１０Ｐの内側に位置するように配列されている。このようにすれば、スパウト１２が重なる位置が各充填パウチ１０の端縁から所定寸法だけ中央寄りとなり、スパウト１２の当接部が内容物によって膨らんいるのでスパウト１２の保護が確実となる。
もっとも、このスパウト１２の位置は、図２に示すように、パウチ組１０Ｐとして組み付けた際に外側に位置するように配列してもよい。また、内向きの充填パウチと外向きの充填パウチが混在した配列としてもよい。
【００１５】
カートン２０は四角筒形状の箱体で、正方形状の底壁２１と、底壁の４辺から上方に延びる断面正方形状の４側壁２２とを備えている。カートンの材質としては、紙やプラスチック等種々の材料が適用可能である。
【００１６】
各パウチ組１０Ｐの間には、各パウチ組１０Ｐ一組の収納空間２３を仕切る仕切部材３０が設けられている。仕切部材３０は、パウチ組１０Ｐが載置される正方形状の仕切板３１と、仕切板３１によって仕切られる収納空間２３の間隔を保持する間隔保持部材３２とを備えている。仕切板３１の形状はカートン２０内壁の断面形状とほぼ等しく、間隔保持部材３２はカートンの内周面に嵌合するようになっている。この仕切部材３０の材質も、紙やプラスチック等種々の材料が適用可能である。
【００１７】
この実施の形態では、間隔保持部材３２は仕切板３１の４側辺から下方に延びて下端が下方の仕切部材３０の仕切板３１の側縁に当接する構成となっているが、上方に延びて上端が上方の仕切部材３０の仕切板３１の側縁に当接する構成となっていてもよい。また、仕切板３１と間隔保持部材３２が別体構成でもよい。
【００１８】
カートン２０の内周四角形の一辺の長さは充填パウチ１０の長寸より若干大きく、充填パウチ１０がスムースに収納できるようになっている。
また、充填パウチ１０の短辺は長辺の半分よりも若干小さく、収納したパウチ組の中央には若干隙間ｇができるように寸法が設定されている。もっとも、充填パウチ１０の短辺が長辺の半分よりも若干大きくてもよい。
【００１９】
充填パウチ１０の梱包は、４つの充填パウチ１０を互い違いに井桁状に組んでパウチ組１０Ｐとし、カートン２０内に収納してカートン２０の底面に載置する。次に、仕切部材３０をカートン２０内に入れ、仕切部材３０の間隔保持部材３２の下端がカートン２０の底面に当接するまで押し込み、その上に次段のパウチ組１０Ｐを載置する。パウチ組１０Ｐの収納作業を繰り返し、所定段積み上げた後、不図示の蓋をして梱包が完了する。
【００２０】
このように４つの充填パウチ１０を各充填パウチが四角形の一辺となるように互い違いに井桁状に組んでパンチ組１０Ｐとしているので、カートン２０が落下してもスパウト組１０Ｐを構成する充填パウチ１０が互いに移動を規制し合ってずれない。
たとえば、図１（Ａ）中左右の充填パウチ１０についてみると、右側の充填パウチ１０の上半部は上側の充填パウチ１０の上に、左側の充填パウチ１０の上半部は上側の充填パウチ１０の下にあり、右側充填パウチ１０の下半部は下側充填パウチ１０の下に左側充填パウチ１０の下半部は下側充填パウチ１０の上にあるので、左右の充填パウチ１０の対向する側縁は中央の隙間ｇの位置では互いにぶつかり合い、左右への移動が規制される。
【００２１】
特に、充填パウチ１０は柔軟で、互いに重なりあった部分に段差を生じるので、この段差によっても各充填パウチ１０の移動は規制される。たとえば、左側の充填パウチ１０の下半部は右側の充填パウチ１０に乗り上げた下側充填パウチの上面段差部１４ａによって右側への移動が規制されるし、逆に右側の充填パウチ１０の下半部は下側充填パウチ１０の上面段差部１４ａの裏側に生じる下面段差部１４ｂによって左側への移動が規制される。
図中上下の充填パウチ１０，１０についても、９０度回転させれば左右の充填パウチ１０，１０と全く同じ位置関係となるので、図中左右の充填パウチ１０，１０と全く同一の作用によって移動が規制される。
【００２２】
したがって、カートン２０が落下した場合でも、充填パウチ１０同士が大きく干渉することはなく、内容物の圧力上昇を可及的に抑えることができ、破袋やしわよりの発生を防止できる。
【００２３】
また、スパウト１２が隣りの充填パウチ１０の上に重ねられているので、充填パウチ１０の柔軟性によってスパウト１２への衝撃が緩和され、スパウト１２の破損を防止できる。さらに、パウチ組１０Ｐの上下の収納空間２３はせいぜい一つの充填パウチ１０と一つのスパウト１２の厚みを足した程度で済み、収納効率を高めることができる。
【００２４】
［他の実施の形態］
なお、上記実施の形態では、パウチ組が４つの充填パウチ１０を四角形に組んだ井桁状としたが、３つの充填パウチ１０を三角形状に組み付けた構成でもよいし、５つ以上の充填パウチ１０を対応する数の多角形状に組み付けた構成としてもよい。さらに、多角形状配列の一辺に、２ヶ以上のパウチを直列に並べて組み付けた構成としてもよい。
また、充填パウチ１０としては平パウチ構成を例にとったが、自立可能のスタンディングパウチ構成についても適用可能である。
【００２５】
【実施例】
１２μｍのシリカ蒸着２軸延伸ポリエステルフィルムと１５μｍの２軸延伸ナイロンフィルムと７０μｍのポリプロピレンフィルムとを、ポリウレタン系接着剤を使用してドライラミネーションで積層体フィルムを作成した。
次に、前記積層体フィルム同士を重ね合わせ、スパウトを取り付けるコーナー部を除いて周縁をヒートシールし、幅１５０ｍｍ，長さ２７５ｍｍの三方シール平パウチを作成した。さらに、前記コーナー部に外径２９ｍｍのスパウトをヒートシールしてスパウト付きパウチを作成し、流動食を４００ｍｌ充填した後開口部をヒートシールして充填パウチを作成した。
【００２６】
上記内容物が充填された充填パウチを、図１に示したように水平置きにし、他の充填パウチ１０の上に交互に井桁状に重ねてパウチ組１０Ｐを構成し、このパウチ組１０Ｐを１段積みにして１段毎に仕切部材３０を設け、３段１２袋入りカートンを作成した。
【００２７】
前記１２袋入りのカートン３０を５℃の冷蔵庫に１日保存した後、１ｍの高さからコンクリート床上に底面から１０回連続して落下した後、破袋の有無および外観を確認した。
その結果、表１に示すように、本発明の梱包構造のものはシール部およびスパウト部からの破袋もなく、外観の変化も非常に少なかった。また、パウチの収納効率がよいため、パレット積みの面積も少なくても済むことが確認された。
【００２８】
比較例
実施例で作製したスパウト付き充填パウチを、図３に示したように、スパウトを横向きにして垂直に立て、スパウトを左右交互に向けて水平方向に重ねて収納し、３袋毎に仕切を入れて１２袋入りカートンを作成した。この１２袋入りカートンを、本発明の実施例と同様の条件で落下試験を行った結果、表１に示すように、１〜２回目の落下でパウチが破袋し、内容物が漏洩した。
また、袋の外観も局部的にシール部にしわより跡が発生した。
【００２９】
【表１】
2004224400.tif 000003
【００３０】
【発明の効果】
以上説明したように、本請求項１に記載の発明によれば、梱包する充填パウチを３つ以上の所定数づつまとめて複数のパウチ組を構成し、パウチ組を箱内に上下に段積み構成とするもので、パウチ組は、各充填パウチを水平に置いて各充填パウチを多角形状に無端状に配列し、各充填パウチのスパウト側端部を配列方向同じ側に向けると共にスパウトが隣りの充填パウチの上に重ねられているので、箱が落下しても充填パウチの柔軟性によってスパウトへの衝撃が緩和され、スパウトの破損を防止できる。
さらに、嵩張るスパウトが隣りの充填パウチの上に重ねられる構成なので、充填パウチが３つ以上でも、パウチ組の上下の収納空間はせいぜい一つの充填パウチと一つのスパウトの厚みを足した程度で済み、収納効率を高めることができる。
【００３１】
請求項２に記載の発明によれば、パウチ組は各充填パウチを一辺とする多角形状に配列され組み付けられているので、箱が落下してもパウチ組を構成する充填パウチが互いに支え合ってずれない。したがって、従来の垂直に立てて収納した場合のような充填パウチ同士の干渉が無く、充填パウチ同士の干渉による内容物の圧力上昇を可及的に抑えることができ、破袋やしわよりの発生を防止できる。
【００３２】
請求項３に記載の発明によれば、パウチ組の間に各パウチ組の収納空間を仕切る仕切部材が設けられているので、上段のパウチ組の荷重が下段のパウチ組に加わらず、パウチ組を何段でも多段に段積み可能である。
【００３３】
請求項４に記載の発明によれば、仕切部材は、パウチ組が載置される仕切板と、仕切板間の間隔を保持する間隔保持部材とを備えているので、各パウチ組の荷重は間隔保持部材によって保持することができる。
【００３４】
請求項５に記載の発明によれば、パウチ組は４つの充填パウチによって四角形状に構成されているので、バランス良く充填パウチを組み付けることができる。
【００３５】
請求項６に記載の発明によれば、スパウトはパウチ本体の一端の左右に片寄った位置にあり、パウチ組として組み付けた際に充填パウチのスパウトがパウチ組の内側に位置しているので、スパウトが充填パウチの半スパウト側端縁から中央寄りの内容物によって膨らんだ部分に重なることになり、スパウトの保護が確実となる。
【００３６】
請求項７に記載の発明によれば、箱の一辺の長さが充填パウチの長寸より所定寸法だけ大きい構成としたので、落下時には充填パウチが若干動き、衝撃を吸収することができる。
本発明は、請求項８に記載のように、内容物が液体の場合に特に有効である。
【図面の簡単な説明】
【図１】図１は本発明の実施の形態に係るスパウト付き充填パウチの梱包構造を示すもので、同図（Ａ）は梱包形態を模式的に示す平面図、同図（Ｂ）は梱包形態を模式的に示す断面図である。
【図２】図２は本発明の他の形態のスパウト付き充填パウチの梱包構造を示す平面図である。
【図３】図３は従来のスパウト付き充填パウチの梱包構造の模式的平面図である。
【符号の説明】
１０  充填パウチ
１１  パウチ本体、１２  スパウト、１３  コーナー部、１４  段差部
１０Ｐ  パウチ組
２０  カートン
２１  底壁、２２  側壁、２３  収納空間
３０  仕切部材
３１  仕切板、３２  間隔保持部材
【図１】
2004224400.tif 000004
【図２】
2004224400.tif 000005
【図３】
2004224400.tif 000006